(57)【要約】  報知システム（１０）は、食事時間情報を設定する食事時間設定部（４２）と、食事内容に基づく情報を設定する食事データ設定部（４４）と、食事時間情報及び食事内容に基づく情報を用いて血糖値の測定開始時間を設定する演算処理部（２４）と、演算処理部（２４）によって設定された測定開始時間に基づき血糖値の測定開始を知らせるアラーム発生部（３４）と、を備える。
2013038826.tif 000002
【特許請求の範囲】
【請求項１】
食事時間情報を設定する食事時間設定手段（４２）と、
食事内容に基づく情報を設定する食事データ設定手段（４４）と、
前記食事時間設定手段（４２）が設定した前記食事時間情報及び前記食事データ設定手段（４４）が設定した前記食事内容に基づく情報を用いて血糖値の測定開始時間を設定する制御側時間設定手段（４６）と、
前記制御側時間設定手段（４６）によって設定された前記測定開始時間に基づき血糖値を測定すべき時間又は該時間の到来を知らせる報知手段（３４）と、を備える
ことを特徴とする報知システム（１０）。
【請求項２】
請求項１記載の報知システム（１０）において、
前記食事内容に基づく情報は、該食事内容毎の炭水化物の量を示すカーボ値である
ことを特徴とする報知システム（１０）。
【請求項３】
請求項２記載の報知システム（１０）において、
前記食事内容毎の前記カーボ値をデータベース（５６）として保存するデータベース記憶手段（５４）と、
前記カーボ値が関連付けられた食事内容を表示する表示手段（１６）と、を備える
ことを特徴とする報知システム（１０）。
【請求項４】
請求項３記載の報知システム（１０）において、
前記食事データ設定手段（４４）は、前記表示手段（１６）が表示した食事内容が選択されることで、該選択された食事内容の前記カーボ値を設定する
ことを特徴とする報知システム（１０）。
【請求項５】
請求項２記載の報知システム（１０）において、
前記制御側時間設定手段（４６）は、一回の食事における前記カーボ値の合計値を算出し、前記合計値に基づき血糖値が食後からピーク値付近となるまでの時間量を設定し、前記食事時間情報に該時間量を加えることで、前記血糖値の測定開始時間を設定する
ことを特徴とする報知システム（１０）。
【請求項６】
請求項２記載の報知システム（１０）において、
ユーザが前記血糖値の測定開始時間を設定するユーザ時間設定手段（４７）を備え、
前記制御側時間設定手段（４６）は、一回の食事における前記カーボ値の合計値を算出し、前記合計値に基づき血糖値がピーク値付近となる時間量を設定し、該時間量に基づき前記ユーザ時間設定手段（４７）が設定した前記測定開始時間を再設定する
ことを特徴とする報知システム（１０）。
【請求項７】
請求項５記載の報知システム（１０）において、
前記時間量と前記カーボ値の合計値を対応させたテーブル（５８）を有し、
前記制御側時間設定手段（４６）は、前記テーブル（５８）を参照して前記カーボ値の合計値に基づく前記時間量を設定する
ことを特徴とする報知システム（１０）。
【請求項８】
請求項１記載の報知システム（１０）において、
当該報知システム（１０）は、血液内に含まれる血糖値を測定する血糖測定装置（１２）に設けられる
ことを特徴とする報知システム（１０）。
【請求項９】
請求項８記載の報知システム（１０）において、
前記血糖測定装置（１２）は、前記制御側時間設定手段（４６）によって設定された前記血糖値の測定開始時間と、該測定開始時間の前後所定時間以内に測定された血糖値とを関連付けて記憶する血糖値データ記憶手段（３８）を有する
ことを特徴とする報知システム（１０）。
【発明の詳細な説明】
【技術分野】
【０００１】
本発明は、食後に行われる血糖値の測定において、その測定開始時間をユーザに知らせる報知システムに関する。
【背景技術】
【０００２】
糖尿病は、糖、タンパク質、脂肪代謝等の異常を招き、特に血中グルコース(血糖)の蓄積、停滞が持続する。そのため、糖尿病患者（以下、ユーザともいう）は血糖管理（血糖コントロール）を継続的に行うことが求められる。例えば、血糖管理では、血糖測定装置を用いた血糖値の自己測定（ｓｅｌｆ−ｍｏｎｉｔｏｒｉｎｇ  ｏｆ  ｂｌｏｏｄ  ｇｌｕｃｏｓｅ：ＳＭＢＧとも呼ばれる）が行われる（国際公開第２００８／１３６４３７号参照）。【０００３】
血糖値は、食事をした時刻から段々と上昇を開始し、ある程度の時間が経過した時点で最も高いピーク値となり、その後に緩やかに下降する山形形状を見せる。血糖管理においては、食後の血糖値のピーク値（又はピーク値付近）を測定して、該ピーク値を認識することで、治療（例えば、食事内容や食事方法の指導等）に役立てることが重要とされている。【０００４】
ところで、ＳＭＢＧでは、糖尿病患者が測定を忘れたり、勘違いをしたりして、血糖値の測定を行わない、又は測定すべき時刻（血糖値のピーク値付近の時刻）から大幅にずれた時刻で測定を行う等の不都合がある。このため、国際公開第２００８／１３６４３７号に開示されている測定装置では、食後から所定時間（例えば、２時間）経過すると、アラーム音を鳴らして、ユーザに血糖値の測定を促すようにしている。
【発明の概要】
【０００５】
しかしながら、食事によって摂取した種々の栄養素（例えば、炭水化物、タンパク質及び脂質等）は、血糖に変わる割合や速度が相違するため、食事内容によって血糖値が上昇する時間も大きく変動する。例えば、炭水化物中心の食事をした場合と、脂質中心の食事をした場合とでは、炭水化物中心の食事のほうが血糖値の上昇時間が早くなる。したがって、国際公開第２００８／１３６４３７号に開示されている測定装置が食後から所定時間経過後に血糖値の測定時刻であることを報知しても、必ずしも血糖値のピーク値（又はピーク値付近）を測定することができず、血糖管理が十分になされないという課題が生じる。
【０００６】
本発明は、上記の課題を解決するためになされたものであり、食後に血糖値がピーク値付近となる時間を食事内容に基づいて設定し、その時間をユーザに報知することで血糖値の測定を促し、これにより血糖管理を良好に実施することができる報知システムを提供することを目的とする。
【０００７】
前記の目的を達成するために、本発明は、食事時間情報を設定する食事時間設定手段と、食事内容に基づく情報を設定する食事データ設定手段と、前記食事時間設定手段が設定した前記食事時間情報及び前記食事データ設定手段が設定した前記食事内容に基づく情報を用いて血糖値の測定開始時間を設定する制御側時間設定手段と、前記制御側時間設定手段によって設定された前記測定開始時間に基づき血糖値を測定すべき時間又は該時間の到来を知らせる報知手段と、を備えることを特徴とする。
【０００８】
上記によれば、制御側時間設定手段が、食事時間情報及び食事内容に基づく情報を用いて血糖値の測定開始時間を設定し、その測定開始時間に基づき、報知手段が血糖値を測定すべき時間又は該時間の到来を知らせることで、食後に行う血糖値の測定を、該血糖値が最も上昇するピーク値付近で行うことができる。すなわち、食事内容に基づく情報を使用することで、食事において摂取した栄養素から血糖に変換されるまでの時間を比較的簡単に割り出すことができ、血糖値がピーク値付近になる時間を予測して、ユーザに報知することが可能となる。その結果、ユーザは、ピーク値付近の血糖値を容易に認識することができ、血糖管理を良好に実施することができる。
【０００９】
この場合、前記食事内容に基づく情報は、該食事内容毎の炭水化物の量を示すカーボ値とすればよい。
【００１０】
このように、食事内容に基づく情報として、食事内容毎の炭水化物の量を示すカーボ値を用いることで、食事で摂取した炭水化物が血糖に変換される時間を予測することが可能となる。したがって、カーボ値から血糖値の測定開始時間を設定すれば、ピーク値付近の血糖値を測定することができる。
【００１１】
また、前記食事内容毎の前記カーボ値をデータベースとして保存するデータベース記憶手段と、前記カーボ値が関連付けられた食事内容を表示する表示手段と、を備えていてもよい。
【００１２】
このように、表示手段によってカーボ値が関連付けられた食事内容を表示すれば、ユーザは、表示された食事内容に基づくカーボ値を容易に利用することができる。
【００１３】
さらに、前記食事データ設定手段は、前記表示手段が表示した食事内容が選択されることで、該選択された食事内容の前記カーボ値を設定するようにしてもよい。
【００１４】
これにより、ユーザは、表示手段が表示した食事内容を選択するだけで、カーボ値を利用することができるので、ユーザ自身が食事内容をカーボ値に換算する作業を省略することが可能となり、血糖値の測定開始時間をより簡単に設定することができる。
【００１５】
ここで、前記制御側時間設定手段は、一回の食事における前記カーボ値の合計値を算出し、前記合計値に基づき血糖値が食後からピーク値付近となるまでの時間量を設定し、前記食事時間情報に該時間量を加えることで、前記血糖値の測定開始時間を設定することができる。
【００１６】
このように、一回の食事におけるカーボ値の合計値から血糖値が高まる時間量を設定することで、血糖値の測定開始時間を簡単に設定することができる。この場合、ユーザ自身が血糖値の測定開始時間を設定しなくても、血糖値の測定開始時間に基づき血糖値を測定すべき時間又は該時間の到来を報知手段が報知するため、ユーザが血糖値の測定をし忘れることを回避することができる。
【００１７】
また、ユーザが前記血糖値の測定開始時間を設定するユーザ時間設定手段を備え、前記制御側時間設定手段は、一回の食事における前記カーボ値の合計値を算出し、前記合計値に基づき血糖値がピーク値付近となる時間量を設定し、該時間量に基づき前記ユーザ時間設定手段が設定した前記測定開始時間を再設定することもできる。
【００１８】
このように、ユーザ時間設定手段を介してユーザが予め血糖値の測定開始時間を設定することで、カーボ値を利用しない場合に、血糖値の測定開始を報知することができる。また、カーボ値を利用する場合は、ユーザ時間設定手段を介して設定された測定開始時間をカーボ値の合計値に基づき再設定すれば、血糖値の測定開始時間を容易に変動（シフト）して、ピーク値付近の血糖値を測定することができる。
【００１９】
さらに、前記時間量とカーボ値を対応させたテーブルを有し、前記制御側時間設定手段は、前記テーブルを参照して該合計値に基づく前記時間量を設定するとよい。
【００２０】
このように、時間量とカーボ値を対応させたテーブルを参照して時間量を設定すれば、制御側時間設定手段によって血糖値の測定開始時間を一層簡単に設定することができる。
【００２１】
ここで、当該報知システムは、血液内に含まれる血糖値を測定する血糖測定装置に設けられることが好ましい。
【００２２】
このように血糖測定装置に報知システムが設けられることで、血糖測定装置が報知した血糖値の測定開始時間に従って、該血糖測定装置を用いて血糖値の測定を行うことができる。
【００２３】
この場合、前記血糖測定装置は、前記制御側時間設定手段によって設定された前記血糖値の測定開始時間と、該測定開始時間の前後所定時間以内に測定された血糖値とを関連付けて記憶する血糖値データ記憶手段を有するとよい。
【００２４】
このように、血糖値の測定開始時間と測定開始時間の前後所定時間以内で測定された血糖値とを関連付けて記憶することで、ユーザや医師が、食事毎のピーク値付近の血糖値を認識することができ、血糖管理を一層良好に行うことができる。
【００２５】
本発明によれば、食後に血糖値がピーク値付近となる時間を食事内容に基づいて設定し、その時間をユーザに報知することで血糖値の測定を促し、これにより血糖管理を良好に実施することができる。
【図面の簡単な説明】
【００２６】
【図１】本発明に係る食事時間と生体内の血糖値の変動を示すグラフである。
【図２】食事内容とカーボ値の対応関係の一例を示す表である。
【図３】本発明の実施の形態に係る報知システムが適用される血糖測定装置を示す斜視図である。
【図４】図３の血糖測定装置の構造を示すブロック図である。
【図５】図４の血糖測定装置に設けられる報知システムを示す機能ブロック図である。
【図６】図５の時間量参照テーブルの一例を示す表である。
【図７】本実施の形態に係る血糖測定装置の動作処理の一例を示すフローチャートである。
【図８】本実施の形態に係る報知システムを用いた血糖測定装置の血糖測定時における動作処理の応用例を示すフローチャートである。
【発明を実施するための形態】
【００２７】
以下、本発明に係る報知システムについて好適な実施の形態を挙げ、添付の図面を参照して詳細に説明する。なお、本実施の形態の説明における「時刻」とは、例えば、１２時、１２時３０分等のように、一日の中でのある時点を指す意味で用いており、「時間量」とは、１時間、１時間３０分等のように、ある時点から他の時点までの間（長さ）を指す意味で用いており、「時間」とは、これら時刻及び時間量の概念を含む意味で用いている。
【００２８】
先ず、本実施の形態に係る報知システムを説明する前提事項として、食事内容と血糖値の変動の関係、及び食事内容とカーボ値の関係について詳述する。
【００２９】
図１は、本発明に係る食事時間と生体内の血糖値の変動を示すグラフであり、図２は、食事内容とカーボ値の対応関係の一例を示す表である。
【００３０】
図１に示すように、人体においては、食事によって摂取した栄養素が血糖（ブドウ糖）に変わる割合と時間（すなわち、速度）が異なることが知られている。例えば、糖質は、ブドウ糖への変化率が略１００％で、比較的容易に消化されるため、食後から１時間前後に最も多くの量の糖質がブドウ糖へ変化する。一方、タンパク質は、ブドウ糖への変化率が略５０％で、糖質に比べて緩やかにブドウ糖に変化するため、食後から３時間前後に最も多くの量のタンパク質がブドウ糖へ変化する。また、脂質は、ブドウ糖への変化率が１０％未満で、消化に時間がかかるため、ブドウ糖に変化する量のピークは食後から１０時間前後である。
【００３１】
すなわち、食事内容（食事における栄養素）によって、食後の血糖値の上昇速度が異なるので、食後から血糖値が上昇してピーク値となる時間（時間量）の設定が難しくなる。なお、従来の血糖管理においては、医師から一律的且つ経験的に食後２時間後に血糖値を測定するように指導されることが多い。
【００３２】
ここで、血糖値の上昇を簡易的に判断する場合には、カーボ値を用いたカウント方法（カーボカウント）が考えられる。このカーボカウントは、血糖を安定化するインスリンの投与量を調整する際に利用されている。この「カーボ値」とは、食事内容に含まれる炭水化物の量を示す指標であり、例えば、炭水化物量１０ｇを１カーボとすることで、食事内容毎にカーボ値が換算される。
【００３３】
例えば、図２に示す表のように、ごはん（１５０ｇ：茶碗１杯分）でカーボ値が５．５、食パン（６０ｇ：６枚切り１枚）でカーボ値が３．０、エビフライ（２尾）でカーボ値が１．０等のように、食事内容毎にカーボ値を換算することができる。このカーボ値が高い場合は、食事中にとる炭水化物量が多いことになり、血糖に変化する量が多くなるとともに、血糖値がピーク値を迎える時間も早まることが予測できる。
【００３４】
本発明に係る報知システムは、従来インスリン量の調整にしか利用されていなかった「カーボ値」を有効に利用することで、血糖値が上昇する時間量を予測して、血糖値がピーク値になる時間（又はその付近の時間）をユーザに知らせ、血糖値の測定を促すものである。
【００３５】
この報知システム１０は、実際に血液内に含まれる血糖値を測定する血糖測定装置１２に内蔵される。そのため、血糖測定装置１２の構成について先に詳述していく。なお、報知システム１０は、血糖測定装置１２に設けられるだけでなく、種々の装置に適用可能なことは勿論である。例えば、報知システム１０は、携帯端末（例えば、携帯電話、ＰＨＳ、ＰＤＡ、携帯ゲーム機、ポータブルコンピュータ、ウェアラブルコンピュータ等）、アラーム機器、デジタル式時計等に設けられてもよい。
【００３６】
図３は、本発明の実施の形態に係る報知システム１０が適用される血糖測定装置１２を示す斜視図であり、図４は、図３の血糖測定装置１２の構造を示すブロック図である。
【００３７】
血糖測定装置１２は、先端側が下方にやや屈曲した細長い筐体１４によって構成され、この筐体１４の上面に表示パネル１６（表示手段）及び操作ボタン１８が設けられる。また、筐体１４の先端側には、実際に人体から血液を採取するための測定チップ２０と、この測定チップ２０を取り外すためのイジェクトボタン２２とが設けられる。
【００３８】
血糖測定装置１２の筐体１４は、血糖値を自己測定するユーザが片手で持ちやすいフィット形状に形成され、ユーザの操作によって先端側の測定チップ２０を容易に測定箇所（血液の採取箇所）に押し当てることができるように構成されている。この筐体１４の内部には、血糖値の測定に利用される内部機構が収容される。この場合、内部機構としては、図４に示すように、演算処理部２４（制御手段）、記憶部２６、電源２８、測定部３０、データ送受信部３２、アラーム発生部３４（報知手段）、タイマー３６（時刻計測手段）等があげられる。血糖測定装置１２は、これらの内部機構によって、血糖値の測定、測定した血糖値データの保存及び表示、血糖値データの送信等（以下、まとめて血糖値測定処理ともいう）を実施する。
【００３９】
図３に示すように、表示パネル１６は、筐体１４の上面に比較的大きな表示面積を有するように配設される。この表示パネル１６は、例えば、液晶モニタや有機ＥＬ等によって構成することができる。表示パネル１６は、血糖測定装置１２内の内部機構に接続され、演算処理部２４の制御に基づき、血糖値測定処理に必要な情報（例えば、血糖値、日時、エラー等）を表示する。
【００４０】
一方、操作ボタン１８は、押圧式のボタンからなり、筐体１４上面の表示パネル１６の隣接位置に配置される。これにより、ユーザは、表示パネル１６に表示される情報を確認しつつ、操作ボタン１８を押すことで、血糖値測定処理に必要な操作を行うことができる。
【００４１】
なお、血糖測定装置１２は、以上のような表示パネル１６や操作ボタン１８を備える構成に限定されないことは勿論であり、例えば、タッチパネル方式の表示パネルを採用することで、血糖値測定処理にともなう表示と操作を一体的に行うようにしてもよい。
【００４２】
図４に示すように、血糖測定装置１２内に設けられる演算処理部２４は、周知のマイクロコンピュータ（マイクロプロセッサ：ＭＰＵ）等を用いて構成される。この演算処理部２４は、記憶部２６から必要なプログラム及びデータを読み出して演算処理を実施する。
【００４３】
記憶部２６は、ＲＯＭ及びＲＡＭによって構成され、血糖値測定処理の実施に必要な測定用のプログラムが予めＲＯＭに記憶されるとともに、血糖測定装置１２が測定したデータ等を記憶するための複数のデータ領域がＲＡＭ上のアドレス空間に割り振られている。
【００４４】
電源２８は、例えば、ボタン型電池、丸型乾電池、角型乾電池、二次電池又は外部電源等を適用することができる。この電源２８は、血糖測定装置１２において電力によって駆動する演算処理部２４、記憶部２６、測定部３０、データ送受信部３２、アラーム発生部３４、タイマー３６等に対し必要な電力を供給する。
【００４５】
測定部３０は、血糖測定装置１２内において実際に血糖値の測定を行う機能を備える。例えば、測定部３０は、図示しない発光素子（発光ダイオード）や受光素子（フォトダイオード）、レンズ、測定回路等を備え、血液中の血糖値を光学的（光反射率測定方式）に測定する機構に構成することができる。なお、測定部３０は、光学的な測定機構に限定されないことは勿論であり、例えば、血糖値をグルコースオキシダーゼ（ＧＯＤ）等を用いた酵素電極法等により電気的（電気化学方式）に測定する機構としてもよい。
【００４６】
データ送受信部３２は、外部送受信機を介して、外部のコンピュータとの間でデータの送受信を行う機能を有する。この場合、血糖測定装置１２を外部送受信機に近づけると、該外部送受信機から電磁誘導により電力が供給されて、データ送受信部３２の送信データを外部送受信機に自動的に送る構成（非接触通信機能）とすれば、作業性を向上することができる。
【００４７】
また、アラーム発生部３４は、種々の音を出力するスピーカとして構成され、演算処理部２４の制御に基づき、所定の音（アラーム）を血糖測定装置１２の外部に発する機能を有する。例えば、血糖値測定処理におけるアラーム発生部３４の利用方法としては、血糖値の測定完了を知らせる、電池の残量低下を知らせる、エラーの発生を知らせる等のように様々な処理に応用することができる。
【００４８】
さらに、タイマー３６は、血糖測定装置１２内における時刻（日時）を管理するために設けられる。このタイマー３６は、電源のＯＮ／ＯＦＦに関わらず自動的に時刻を計測するように構成される。
【００４９】
血糖測定装置１２は、上記各構成を連動させることで、血糖値の測定を行い、測定した血糖値データを記憶し、又はデータ送信する。具体的に、血糖測定装置１２を用いた血糖値の測定について説明すると、先ず、ユーザの血液を採取するため、測定チップ２０を筐体１４の先端側に装着する。そして、筐体１４を把持して血液が流出したユーザの指先に測定チップ２０を当接させる。これにより、血液が測定チップ２０を介して吸引され、内部に収容されている試験紙（図示せず）に染み込み、血中のブドウ糖の量に応じて試験紙が呈色する。
【００５０】
ユーザの血液を採取した後、血糖測定装置１２は、測定部３０を駆動して血糖値の測定を行う。この場合、測定部３０の発光素子から試験紙に照射光を照射し、該試験紙によって反射された反射光を受光素子で受光し、その光量を測定する。
【００５１】
演算処理部２４は、測定用のプログラムに従って動作しており、測定部３０にて測定された光量に基づき、試験紙の呈色の度合い（濃度）及び赤血球の赤色濃度を算出する。この際、呈色濃度から得られるグルコース値を赤色濃度から得られるヘマトクリット値を用いて補正しつつグルコース濃度を定量化して、血糖値データを得ることができる。この血糖値データは、記憶部２６の血糖値データ記憶領域３８（図５参照）に記憶される。
【００５２】
また、測定終了後は、測定チップ２０を筐体１４から取り外す作業が行われる。この場合、片手によってイジェクトボタン２２を操作することで、測定チップ２０が取り外される。これにより測定チップ２０に手を触れることなく、簡単且つ迅速に廃棄処理を行うことができる。このように、ユーザは、上記血糖測定装置１２を使用することで、血糖値を容易に自己測定することができる。
【００５３】
ここで、糖尿病患者の血糖管理では、既述したように、食後に上昇する血糖値のピーク値付近を測定することが重要とされている。このため、本発明に係る報知システム１０は、食後に血糖値が上昇しピーク値付近になる時間（血糖値の測定開始時間）を設定し、該測定開始時間をユーザに報知する処理（以下、血糖値測定処理と区別するため報知処理ともいう）を行う。この報知システム１０は、上述した血糖測定装置１２の内部機構を用いて構成される。
【００５４】
図５は、図４の血糖測定装置１２に設けられる報知システム１０を示す機能ブロック図である。
【００５５】
図５に示すように、血糖測定装置１２の記憶部２６には、報知処理に係わるプログラム（以下、測定開始設定プログラム４０という）が予め保存（記憶）される。報知システム１０は、演算処理部２４が測定開始設定プログラム４０に従って動作することで、報知処理を実施する。この報知処理としては、例えば、食事時間や食事内容の設定、血糖値の測定開始時間の設定、及び測定開始時間に基づく報知等があげられる。
【００５６】
この場合、血糖測定装置１２の表示パネル１６は、測定開始設定プログラム４０に従って動作する演算処理部２４の制御に基づき、報知システム１０による血糖値の測定開始時間の設定に必要な情報（例えば、食事時間（食事開始時間）、食事内容やカーボ値、測定開始時間等）が表示可能となる。同様に、操作ボタン１８も、血糖値の測定開始時間等を設定するための各種操作が可能となる。
【００５７】
また、報知システム１０は、測定開始設定プログラム４０に基づき、演算処理部２４内に食事時間設定部４２（食事時間設定手段）、食事データ設定部４４（食事データ設定手段）、制御側時間設定部４６（制御側時間設定手段）、ユーザ時間設定部４７（ユーザ時間設定手段）が設けられる。これに対応して、記憶部２６のデータ領域には、食事時間記憶領域４８、食事データ記憶領域５０、測定開始時間記憶領域５２が形成される。さらに、記憶部２６には、報知処理において必要な情報となるカーボ値データベース５６及び時間量参照テーブル５８がデータベース記憶領域５４（データベース記憶手段）内に予め保存される。
【００５８】
食事時間設定部４２は、ユーザの操作指示に基づき、記憶部２６の食事時間記憶領域４８に食事時間情報を記憶させる。ここで、「食事時間情報」とは、ユーザが食事を取る際の時間に関するデータであり、ユーザは食事を取った後（又は取る前）にその時間を食事時間情報として血糖測定装置１２に入力する。この食事時間情報は、ユーザが入力する際、１２時、１２時３０分等のように時刻として入力してもよく、一方、タイマー３６が計測する現在時刻に対し１時間後、１時間３０分後等のように時間量として入力してもよい。ただし、食事時間記憶領域４８には、タイマー３６が計測する時刻と容易に対応関係をもたせるため、時刻の情報として記憶されることが好ましい。
【００５９】
なお、本実施の形態に係る報知システム１０は、血糖値の測定開始時間の設定を食後から換算する構成であるため、食事後に食事時間情報を設定するほうが、測定精度を高めることができる。勿論、食前に食事の終了時刻を予測して食事時間情報を設定してもよく、また食事にそれほど時間がかからないのであれば、食前や食中の時刻を食事時間情報として設定しても大きな誤差とはならない。
【００６０】
食事時間情報の設定においては、タイマー３６によって時刻が計測されていることから、該タイマー３６の時刻に基づき、ユーザが操作ボタン１８を操作することで、食事時間情報を適宜入力して、食事時間記憶領域４８に記憶させることができる。また、血糖測定装置１２が時刻入力用の専用ボタンを備え、その専用ボタンを食事終了後に一回押すことで、そのときの時刻を食事時間情報として自動的に設定するように構成してもよい。さらに、毎日食事する時刻が大体同じ時間帯である場合には、その食事時刻を食事時間記憶領域４８に予め登録（記憶）しておいてもよい。この場合、朝食、昼食及び夕食等のように複数の食事時間情報を食事時間記憶領域４８に記憶しておくこともできる。演算処理部２４は、タイマー３６が計測する時刻と予め記憶した食事時間情報に基づき、食事時刻になる（又は近づく）と、自動的に血糖測定装置１２を起動し、ユーザに対し食事時刻であることを報知し、カーボ値の入力を促すように構成してもよい。
【００６１】
この食事時間記憶領域４８に記憶された食事時間情報は、演算処理部２４が所定の報知処理（例えば、血糖値の測定開始時間を設定する等）を実施する際に読み出されて、演算用データとして使用される。
【００６２】
一方、食事データ設定部４４は、ユーザの操作指示に基づき、食事内容に基づく情報を記憶部２６の食事データ記憶領域５０に記憶させる。ここで、「食事内容に基づく情報」としては、本発明の前提において説明した食事内容毎の炭水化物の量を示すカーボ値が用いられる。
【００６３】
すなわち、食事データ設定部４４は、ユーザが操作ボタン１８を操作することによって、カーボ値を数値データとして食事データ記憶領域５０に記憶（設定）させる。この場合、ユーザによって１回の食事における食事内容（品目）毎のカーボ値が加算されて、合計値として食事データ記憶領域５０に記憶される。また、血糖測定装置１２に計算機能（図示せず）を持たせておき、ユーザによって食事内容毎のカーボ値が入力されると、カーボ値の合計値を算出するようにしてもよい。さらに、食事内容毎のカーボ値を、食事時間記憶領域４８に記憶される食事時間情報と関連付けて記憶させるようにしてもよい。この場合でも、演算処理部２４は、同じ時刻（時間帯）にとった食事内容をまとめて読み出して加算することで、血糖値の測定開始時間の算出を行うことができる。
【００６４】
上述したように、記憶部２６のデータベース記憶領域５４には、カーボ値データベース５６が予め保存される。カーボ値データベース５６とは、例えば、図２に示すような食事内容毎にカーボ値が付与された複数のデータ群である。演算処理部２４は、ユーザの操作に基づき、このカーボ値データベース５６を読み出して、表示パネル１６に表示させる。これにより、ユーザは、表示されたカーボ値データベース５６でカーボ値を確認しつつ、食事データ記憶領域５０にカーボ値を入力していくことができる。
【００６５】
カーボ値データベース５６を用いた食事内容の表示方法としては、例えば、図２に示す大きな分類（主食、ごはん類、めん類…等）を選択させ、さらに詳細な分類（ごはん、もち、食パン…等）を選択させていくツリー形式を採ること等が考えられる。
【００６６】
また、食事データ設定部４４は、ユーザがカーボ値を直接入力せずに、表示パネル１６に表示された食事内容（カーボ値データベース５６）をユーザによって選択させることで、この選択された食事内容のカーボ値を食事データ記憶領域５０に記憶するように構成してもよい。この場合、表示パネル１６としてタッチパネルを採用している場合は、カーボ値データベース５６に登録されている複数の食事内容を、表示パネル１６に表示しつつ、ユーザに選択させることができ、データ入力をより容易化することができる。
【００６７】
記憶部２６（例えば、データベース記憶領域５４）には、食事内容とカーボ値の他に、該食事内容に関連付けられた写真データが記憶されていてもよい。食事内容に関連付けられた写真データは、表示パネル１６によって表示されることで、ユーザによる食事内容毎のカーボ値の入力（選択）を一層容易化することができる。
【００６８】
また、制御側時間設定部４６は、実際に食事時間設定部４２が設定した食事時間情報、及び食事データ設定部４４が設定したカーボ値を、食事時間記憶領域４８及び食事データ記憶領域５０からそれぞれ読み出して、血糖値の測定開始時間情報を設定（算出）する。「測定開始時間情報」とは、ユーザが食後に血糖値を測定する際の時間に関するデータである。制御側時間設定部４６によって設定された血糖値の測定開始時間情報は、測定開始時間記憶領域５２に記憶される。この制御側時間設定部４６の具体的な動作については後述する。
【００６９】
さらに、ユーザ時間設定部４７は、ユーザの操作指示に基づき、血糖値の測定開始時間情報を記憶部２６の測定開始時間記憶領域５２に記憶させる機能を有する。ユーザは、測定開始時間情報として、例えばタイマー３６が計測する時刻に基づき、予定される血糖値の測定開始の時刻を入力（設定）してもよく、また食後から２時間というように時間量として入力（設定）し、前記食事時間情報と対応関係を持たせるようにしてもよい。
【００７０】
報知システム１０は、後述するように、食事時間情報とカーボ値に基づき、血糖値の測定開始時間情報を算出し設定することができるが、上記のようにユーザがユーザ時間設定部４７を介して、測定開始時間記憶領域５２に測定開始時間情報を記憶することもできる。例えば、食事内容によってはカーボ値が分からない場合があり、カーボ値を利用して測定開始時間を設定できない可能性もある。このため、例えば、食後２時間等のように測定開始時間情報を予め登録しておけば、色々な状況に対応して血糖値の測定開始を報知することができる。
【００７１】
報知システム１０は、演算処理部２４が測定開始設定プログラム４０に従って処理を行うことで、上記の各設定部４２、４４、４６、４７を動作させ、ユーザが入力する各種情報を記憶部２６の各領域４８、５０、５２に記憶させる。また、演算処理部２４は、記憶部２６に記憶された情報（データ）を適宜読み出して、食後に上昇する血糖値のピーク値付近の時間（測定開始時間）を算出する。本実施の形態に係る報知システム１０では、血糖値の測定開始時間を、食事時間情報とカーボ値（食事内容に基づく情報）に基づき比較的容易に得ることができる。
【００７２】
ここで、報知システム１０による血糖値の測定開始時間の算出について具体的に説明する。上述したように、血糖測定装置１２の演算処理部２４には、測定開始設定プログラム４０に基づき制御側時間設定部４６が設けられる。この制御側時間設定部４６は、食事時間記憶領域４８から食事時間情報を読み出すとともに、食事データ記憶領域５０から該食事時間情報に対応したカーボ値を読み出す。この際、カーボ値が食事内容毎に別々に記憶されている場合は、これらのカーボ値を全て加算して、カーボ値の合計値を求める。なお、カーボ値が合計値として食事データ記憶領域５０に記憶されている場合は、その値を単純に読み出せばよい。
【００７３】
次に、演算処理部２４は、データベース記憶領域５４に予め保存されている時間量参照テーブル５８（ルックアップテーブル）を読み出す。図６は、この時間量参照テーブル５８の一例を示す表である。時間量参照テーブル５８には、カーボ値（一回の食事の合計値）の所定範囲に対応する血糖値の測定開始の時間量、すなわち食後に血糖値がピーク値を迎える予測時間が設定されている。
【００７４】
具体的に、本実施の形態に係る時間量参照テーブル５８では、カーボ値の所定範囲が、３以下、３〜１０、１０以上の３つに分けられ、これら３つの範囲に対応する時間量が決められている。すなわち、カーボ値が３以下の場合は、時間量を食後３時間とし、カーボ値が３〜１０の場合は、時間量を食後２時間とし、カーボ値が１０以上の場合は、時間量を食後１時間としている。このように、カーボ値の範囲を３パターン程度に分類しておくと、データ量が少なくなり、演算処理部２４における処理が迅速化される。なお、時間量参照テーブル５８は、図６に示す表に限定されないことは勿論であり、例えば、カーボ値の範囲を４つ以上に分けて作成すれば、血糖値の測定開始時間をさらに精度よく算出することも可能となる。
【００７５】
演算処理部２４（制御側時間設定部４６）は、カーボ値（一回の食事の合計値）を設定した後、時間量参照テーブル５８を参照して、一回の食事における血糖値の測定開始の時間量を決定する。そして、食事時間記憶領域４８から読み出した食事時間情報に、該時間量を加算することで、血糖値の測定開始時間（測定開始時間情報）を算出する。
【００７６】
具体的に、ユーザが昼食時にカレーライスを選び、１２時３０分に食べ終えた場合を例にあげると、ユーザは、食事時間記憶領域４８に食事時間情報として１２時３０分を設定（記憶）し、食事データ記憶領域５０に一回の食事のカーボ値データとして１４（図２参照）を設定する。演算処理部２４は、この２つの情報（食事時間情報及び食事内容に基づく情報）が関連するように入力されると、血糖値の測定開始時間の演算を開始する。
【００７７】
この場合、カーボ値が１４であることから図６に示す時間量参照テーブル５８を参照して血糖値の測定開始の時間量として１時間を設定する。そして、食事時間記憶領域４８から読み出した１２時３０分に１時間を加算して、測定開始時間情報として１３時３０分を算出する。演算処理部２４により算出された測定開始時間情報は、測定開始時間記憶領域５２に記憶される。そして、タイマー３６による時刻の計測に基づき、１３時３０分になる（又は近づく）と、演算処理部２４はアラーム発生部３４を動作させ、所定の音（アラーム音）を発生させてユーザに血糖値の測定時刻であることを報知する。
【００７８】
このように、カーボ値が１４というように高い場合は、炭水化物が時間をかけずに血糖化されることが想定されるため、血糖値が急激に上昇して食後１時間程度で最も高いピーク値付近を示すようになる。ユーザは、報知システム１０によって、食後１時間後の血糖値の測定開始が報知されることで、血糖値のピーク値付近において血糖値の測定をすることができる。
【００７９】
また、設定された測定開始時間に基づき、血糖値の測定開始をユーザに報知する場合は、種々の方法を取り得ることは勿論である。すなわち、ユーザに対する報知としては、制御側時間設定部４６により血糖値の測定開始時間が設定された段階で、表示パネル１６に血糖値を測定すべき時間を表示する、又はアラーム発生部３４（スピーカ）から血糖値を測定すべき時間を音声で知らせる等が考えられる。また、設定された測定開始時間が到来した場合に、アラーム発生部３４により音（アラーム音や音声等）を出力する、又は表示パネル１６に血糖値を測定すべき旨を表示させる等も考えられる。勿論、これらの方法を複数組み合わせてもよい。他にも、表示パネル１６に対し、測定開始時間に向かって時間をカウントダウンさせるように表示する、又は設定された測定開始時間の２、３分程度前に、小さな音を鳴らし徐々に大きな音に移行させるように報知方法を工夫してもよい。
【００８０】
またさらに、演算処理部２４は、測定開始時間を設定した後、自動的に内部機構の電力供給を停止させ、演算処理部２４及びタイマー３６のみを低電力で駆動するように構成し、測定開始時間になると自動的に電力供給を再開するように構成してもよい。このように構成することで、血糖測定装置１２の電力消費を抑えることができる。
【００８１】
報知システム１０は、基本的には以上のように構成されるものであり、次にこの報知システム１０を備える血糖測定装置１２の動作及び効果について説明する。図７は、本実施の形態に係る血糖測定装置１２の動作処理の一例を示すフローチャートである。
【００８２】
図７に示すように、血糖測定装置１２は、ユーザによって電源２８のスイッチがＯＮされると、内部機構（例えば、演算処理部２４）に必要な電力を供給して、上述した報知処理や血糖値測定処理が実施可能な起動状態となる（ステップＳ１０）。
【００８３】
次に、演算処理部２４は、報知処理の設定を行うモードと、血糖値測定処理を行うモードと、を選択させる初期メニューを表示パネル１６に表示させて、ユーザにそれぞれのモードの選択を促す（ステップＳ１１）。
【００８４】
ステップＳ１１で、ユーザにより報知処理の設定を行うモードが選択されると、演算処理部２４は、食事時間情報を入力（設定）させる時刻入力用の画面を表示パネル１６に表示させる（ステップＳ１２）。この場合、タイマー３６によって計測している現在時刻を表示して、この現在時刻から設定時刻をシフトするように入力させれば、簡単に食事時間情報を設定することができる。ユーザから食事時間情報が入力されると、食事時間設定部４２を介して、食事時間記憶領域４８に該食事時間情報が記憶される。
【００８５】
次に、血糖値の測定開始時間情報を設定するか否かを確認する画面を表示パネル１６に表示させる（ステップＳ１３）。
【００８６】
ユーザが血糖値の測定開始時間情報を設定する場合は、該測定開始時間情報を入力（設定）させる入力用の画面を表示パネル１６に表示させる（ステップＳ１４）。この表示に基づき、ユーザから時間データ（時刻又は時間量）が入力されると、ユーザ時間設定部４７を介して、測定開始時間記憶領域５２に測定開始時間情報として記憶（設定）される。なお、ユーザによる血糖値の測定開始時間情報の設定は、本処理フローとは別に設定されてもよいことは勿論である。
【００８７】
次に、演算処理部２４は、カーボ値（食事内容に基づく情報）を入力（設定）させるカーボ値入力用の画面を表示パネル１６に表示させる（ステップＳ１５）。この場合、カーボ値入力用の画面には、カーボ値データベース５６が表示され、ユーザはこのデータベースを参照しながら、食事内容に基づくカーボ値を入力する。カーボ値の入力においては食事内容毎に個々にカーボ値が入力されて、食事データ設定部４４を介して、食事データ記憶領域５０に食事内容毎のカーボ値が複数記憶される。この際、複数のカーボ値は食事時間情報に関連付けられて記憶される。なお、既述したように、一回の食事におけるカーボ値の合計値がユーザによって入力されてもよい。
【００８８】
次に、演算処理部２４（制御側時間設定部４６）は、食事データ記憶領域５０に記憶されている複数のカーボ値を読み出して加算し、該カーボ値の合計値に基づき、食後に血糖値がピーク値付近となる時間量を算出する（ステップＳ１６）。この際、データベース記憶領域５４に保存される時間量参照テーブル５８を読み出し、該時間量参照テーブル５８を参照してカーボ値（合計値）に対応する時間量を割り出す。
【００８９】
その後、演算処理部２４は、食事時間記憶領域４８に記憶されている食事時間情報を読み出し、ステップＳ１６において算出した時間量を該食事時間情報に加算して、血糖値の測定開始時間を算出する（ステップＳ１７）。この場合、血糖値の測定開始時間を時刻として算出することで、タイマー３６が計測する時刻との対応をとり易くすることができる。
【００９０】
次に、演算処理部２４は、測定開始時間記憶領域５２に測定開始時間情報が記憶されているか否か、すなわちステップＳ１４においてユーザにより測定開始時間情報が設定されたか否かを確認する（ステップＳ１８）。測定開始時間情報が設定されていない場合はステップＳ１９に進み、測定開始時間情報が設定されている場合はステップＳ２０に進む。
【００９１】
ステップＳ１９では、ステップＳ１７で算出された血糖値の測定開始時間情報を測定開始時間記憶領域５２に記憶（設定）させる。そして、演算処理部２４は、この測定開始時間情報を監視して、タイマー３６の時刻が測定開始時間に至ると、アラームを発生するように設定する。このように、血糖値の測定開始時間（アラームの発生）をセットすることで、ユーザ自身が血糖値の測定開始時間情報を設定しなくても、血糖値の測定開始時間になればアラーム発生部３４が報知するため、ユーザが血糖値の測定を忘れることを回避することができる。
【００９２】
一方、ステップＳ２０では、ステップＳ１７で算出された血糖値の測定開始時間情報に基づき、測定開始時間記憶領域５２に先に記憶される測定開始時間情報をシフトして、新たな測定開始時間情報を測定開始時間記憶領域５２に記憶（再設定）する。例えば、ユーザによって食後２時間後に血糖値の測定開始時間情報が設定されており、ステップＳ１６によって割り出された時間量が３時間と算出された場合は、ユーザによって先に設定された２時間に対し１時間を加える補正を行うようにして、測定開始時間情報を再設定する。演算処理部２４は、この測定開始時間情報を監視して、タイマー３６の時刻が測定開始時間に至ると、アラームを発生するように設定する。このように、ユーザが予め血糖値の測定開始時間を設定したとしても、その測定開始時間をカーボ値の合計値に基づき再設定すれば、血糖値の測定開始時間を容易に変動（シフト）して、ピーク値付近の血糖値を測定することができる。
【００９３】
ステップＳ１９又はＳ２０が終了すると、電源２８を部分的にオフにして、演算処理部２４及びタイマー３６のみが駆動する待機モードを実施する（ステップＳ２１）。この待機モードでは、タイマー３６の計測する時刻がステップＳ１９又はＳ２０で設定した測定開始時間情報の時刻に至ったか否かの判別を行う（ステップＳ２２）。
【００９４】
そして、タイマー３６の計測時刻が設定された測定開始時間情報の時刻に至ると、演算処理部２４は、アラーム発生部３４を動作させて所定のアラームを発生させる（ステップＳ２３）。これにより、血糖測定装置１２は、ユーザに血糖値の測定を促すことができる。
【００９５】
測定開始時間を経過した後は、ユーザによって血糖値測定処理が実施され、測定された血糖値が血糖値データ記憶領域３８に記憶される（ステップＳ２４）。この場合、ステップＳ１０及びＳ１１を省くように血糖測定装置１２を動作させて、血糖値測定処理を直ぐに行うように案内してもよい。報知システム１０は、以上のような処理フローによって、血糖測定装置１２による血糖値の測定を促すことができる。
【００９６】
〔応用例〕
図８は、本実施の形態に係る報知システム１０を用いた血糖測定装置１２の血糖測定時における動作処理の応用例を示すフローチャートである。
【００９７】
血糖測定装置１２は、カーボ値を利用して血糖値の測定開始時間（情報）を設定した場合に、該測定開始時間に基づき測定された血糖値（測定結果）を、複数関連付ける（紐付ける）構成とすることができる。つまり、カーボ値に基づき測定開始時間を設定した場合は、ピーク値付近の血糖値を測定することができるため、該ピーク値付近の血糖値を複数得ることで、血糖管理を行う場合（例えば、医師から食事内容や食事方法の指導を受ける場合）に有用な情報を提供することができる。
【００９８】
以下、カーボ値に基づき測定開始時間を設定した場合に、その測定結果を関連付ける処理フローについて具体的に説明する。先ず、血糖測定装置１２は、ユーザの操作によって血糖値の測定が行われることで、血糖値の測定結果を得る（ステップＳ３０）。
【００９９】
次に、演算処理部２４は、ユーザによって行われた血糖値の測定前に、カーボ値が入力されたか否かを判別する（ステップＳ３１）。すなわち、カーボ値が入力された場合は、該カーボ値に基づき血糖値の測定開始時間が設定されるため、血糖値の測定はカーボ値との関連性を有することになる。この場合は、ステップＳ３２に進む。一方、カーボ値が入力されていない場合は、血糖値の測定はカーボ値と関連性がないことになるので、この場合は、ステップＳ３４に進む。
【０１００】
ステップＳ３２では、アラームが報知される時刻（すなわち、設定された測定開始時間）に対し、血糖値の測定が±３０分以内であるか否かを判別する。これにより、カーボ値を利用して設定した測定開始時間に対応して、血糖値の測定を行ったか否かを判断することができる。つまり、血糖値の測定が±３０分以内である場合は、カーボ値と血糖値の測定結果が互いに関連すると見ることができる。この場合は、ステップＳ３３に進む。一方、血糖値の測定が±３０分以上である場合は、カーボ値と血糖値の測定結果はもはや無関係であると見ることができる。この場合は、ステップＳ３４に進む。なお、血糖値の測定時間の判別は、±３０分以内に限定されないことは勿論であり、例えば、±１５分等のように種々の範囲に設定することができる。
【０１０１】
ステップＳ３３では、測定結果とカーボ値を関連付け（紐付け）て血糖値データ記憶領域３８に記憶する。なお、ユーザが表示パネル１６で確認できるように、測定結果（血糖値）がカーボ値に基づく測定であったことを示す表示を追加するようにしてもよい。
【０１０２】
一方、ステップＳ３４では、単純に測定結果を血糖値データ記憶領域３８に記憶する。
【０１０３】
このように、カーボ値の入力と血糖値の測定結果を紐付けて記憶することで、血糖値データ記憶領域３８に記憶されている複数の血糖値（測定結果）をデータで送信する際に、例えばカーボ値の入力と紐付けられた測定結果のみを取り出すことができる。すなわち、血糖管理を指導する医師は、カーボ値の入力と紐付けられた測定結果を確認すれば、ユーザの血糖値のピーク値（測定結果）を認識することができるため、より高度な指導を行うことが可能となる。
【０１０４】
以上のように、本実施の形態に係る報知システム１０によれば、食事時間情報及びカーボ値を用いて血糖値の測定開始時間を設定し、その測定開始時間を報知することで、食後に行う血糖値の測定を、該血糖値が最も上昇するピーク値付近で行うことができる。すなわち、カーボ値を使用することで、食事において摂取した栄養素から血糖に変換されるまでの時間を比較的簡単に割り出すことができ、血糖値がピーク値付近になる時間を予測して、ユーザに報知することが可能となる。その結果、ユーザは、ピーク値付近の血糖値を容易に認識することができ、血糖管理を良好に実施することができる。
【０１０５】
また、表示パネル１６によってカーボ値データベース５６を表示することで、ユーザは、表示された食事内容に基づくカーボ値を容易に利用することができる。この場合、食事データ設定部４４は、表示パネル１６が表示した食事内容が選択されることで、該選択された食事内容のカーボ値を設定するようにすれば、ユーザは、表示パネル１６が表示した食事内容を選択するだけで、カーボ値を利用することができる。したがって、ユーザ自身が食事内容をカーボ値に換算する作業を省略することが可能となり、血糖値の測定開始時間をより簡単に設定することができる。
【０１０６】
さらに、血糖値の測定開始時間とカーボ値を対応させた時間量参照テーブル５８を参照して時間量を設定すれば、演算処理部２４によって血糖値の測定開始時間を一層簡単に設定することができる。
【０１０７】
また、血糖測定装置１２において、血糖値の測定開始時間と測定開始時間の前後所定時間以内に測定された血糖値とを紐付けて記憶することで、ユーザや医師が、食事毎のピーク値付近の血糖値を認識することができ、血糖管理を一層良好に行うことができる。
【０１０８】
なお、本発明に係る報知システム１０は、上述の実施の形態に限らず、本発明の要旨を逸脱することなく、種々の構成を採り得ることはもちろんである。例えば、報知システム１０は、時間量参照テーブル５８を使用せずに、演算式等を用いて血糖値の測定開始時間を算出してもよい。
【図１】
2013038826.tif 000003
【図２】
2013038826.tif 000004
【図３】
2013038826.tif 000005
【図４】
2013038826.tif 000006
【図５】
2013038826.tif 000007
【図６】
2013038826.tif 000008
【図７】
2013038826.tif 000009
【図８】
2013038826.tif 000010
【国際調査報告】
2013038826.tif 000011
2013038826.tif 000012
2013038826.tif 000013
2013038826.tif 000014